(57)【要約】  トレイ（２）と、リフトレバー（３１）と、このリフトレバー移動手段（リフトアーム（３２）と、レバー付勢部材（３３）と、アーム付勢部材（３４）と、アーム規制手段（突出部（３２ｃ）と規制部材（４３）））とを備える。トレイ（２）がディスク載置位置に移動した際に、リフトレバー移動手段により、リフトレバー（３１）がリフト位置に移動する。従って、この状態で、カートリッジ（５）をカートリッジ載置面（２１）に載置すると、このカートリッジ（５）は、その搬入方向側端部を基点として、その搬出方向側端部がトレイ（２）に対して持ち上げられた状態となる。これにより、トレイ（２）のカートリッジ載置面（２１）に載置されたカートリッジ（５）を取り出しやすくすることができる。
2007066735.tif 000002
【特許請求の範囲】
【請求項１】
少なくともカートリッジ（５）に収納された収納ディスク（Ｄ１）に記録された情報の再生あるいは当該収納ディスク（Ｄ１）への情報の記録の少なくともいずれか一方を行うディスク装置（１−１；１−２）において、
前記収納ディスク（Ｄ１）を前記ディスク装置（１−１；１−２）に搬出入する搬出入方向のうち搬出方向側端部に形成されたトレイ銘板部（２３）および前記カートリッジ（５）を載置するカートリッジ載置面（２１）を有し、当該カートリッジ（５）を載置するディスク載置位置から前記収納ディスクの再生記録を行うディスク再生位置までを移動するトレイ（２）と、
前記カートリッジ載置面（２１）の搬出方向側に配置され、前記カートリッジ載置面（２１）にカートリッジ（５）が載置された際に、当該カートリッジ（５）が接触する接触面（３１ａ）を有し、当該カートリッジ（５）が水平となる水平位置から当該カートリッジ（５）の搬出方向側が当該トレイ（２）に対して持ち上げられるリフト位置までを移動するリフトレバー（３１）と、
前記トレイ（２）がディスク載置位置に移動するまでに、前記リフトレバー（３１）をリフト位置に移動させ、当該トレイ（２）がディスク再生位置に移動するまでに、当該リフトレバー（３１）を水平位置まで移動させるリフトレバー移動手段と、
を備えることを特徴とするディスク装置。
【請求項２】
前記リフトレバー（３１）は、カートリッジ載置面（２１）に対して回転自在に支持されるとともに、前記カートリッジ載置面（２１）側と反対側に露出する摺動ピン（３１ｆ）を有し、
前記リフトレバー移動手段は、前記リフトレバー（３１）を水平位置からリフト位置に向かう回転方向に付勢するレバー付勢手段（３３）と、前記カートリッジ載置面（２１）側と反対側に搬出入方向に移動自在に支持され、搬出方向側端部に前記摺動ピン（３１ｆ）が乗り上げる傾斜部（３２ｂ）が形成されるリフトアーム（３２）と、前記トレイ（２）がディスク載置位置まで移動する前までに、当該リフトアーム（３２）の前記ディスク装置（１−１；１−２）に対する移動を規制するアーム規制手段（３２ｃ，４３）とを備え、
前記リフトレバー（３１）は、
前記トレイ（２）がディスク再生位置に移動するまでに、前記摺動ピン（３１ｆ）が前記傾斜部（３２ｂ）に乗り上げることで水平位置に移動し、
当該トレイ（２）がディスク載置位置に移動するまでに、前記リフトアーム（３２）がアーム規制手段（３２ｃ，４３）により前記ディスク装置（１−１）に対する移動が規制され、当該摺動ピン（３１ｆ）が乗り上げていた当該傾斜部（３２ｂ）から前記カートリッジ載置面（２１）側と反対側の面に接触することでリフト位置に移動することを特徴とする請求項１に記載のディスク装置（１−１）。
【請求項３】
前記リフトレバー（３１）は、カートリッジ載置面（２１）に対して回転自在に支持されるとともに、前記カートリッジ載置面（２１）側と反対側に突出する接触用リブ（３１ｂ）を有し、
前記リフトレバー移動手段は、前記リフトレバー（３１）を水平位置からリフト位置に向かう回転方向に付勢するレバー付勢手段（３３）と、前記トレイ（２）がディスク再生位置に移動した際における前記接触用リブ（３１ｂ）と対向し、かつ前記カートリッジ載置面（２１）からの高さが当該カートリッジ（５）の高さであるレバー規制手段（３５）と、
を備えることを特徴とする請求項１に記載のディスク装置（１−２）。
【請求項４】
前記カートリッジ載置面（２１）には、カートリッジ（５）に収納されていない未収納ディスク（Ｄ２）を載置する未収納ディスク載置面（２１ａ，２１ｂ）が形成され、
前記リフトレバー（３１）は、前記カートリッジ載置面（２１）のうち、前記未収納ディスク載置面（２１ａ，２１ｂ）を除く部分に配置されることを特徴とする請求項１〜３のいずれか一つに記載のディスク装置（１−１；１−２）。
【請求項５】
前記トレイ（２）は、当該カートリッジ載置面（２１ａ，２１ｂ）に前記カートリッジ（５）が載置されている際に、当該カートリッジ（５）の位置決め穴（５３）に入り込む位置決めピン（２１ｃ）を当該カートリッジ載置面（２１）に有し、
前記位置決めピン（２１ｃ）の高さは、前記リフトレバー（３１）がリフト位置に移動した際に、当該位置決め穴（５３）に少なくとも先端部が入り込む高さであることを特徴とする請求項１〜４のいずれか１つに記載のディスク装置（１−１；１−２）。
【発明の詳細な説明】
【技術分野】
【０００１】
本発明は、ディスク装置に関し、さらに詳しくは、少なくともカートリッジに収納された収納ディスクに記録された情報の再生あるいはこの収納ディスクへの情報の記録の少なくともいずれか一方を行うディスク装置に関するものである。
【背景技術】
【０００２】
ディスク装置には、カートリッジに収納されていない未収納ディスクのみならず、カートリッジに収納されている収納ディスクに記録された情報の再生あるいは当該ディスクへの情報の記録の少なくともいずれか一方を行うものがある。このようなカートリッジ対応型のディスク装置では、カートリッジをトレイのカートリッジ載置面に載置して、このトレイがディスク載置位置からディスク再生位置まで移動することで、収納ディスクをディスク装置に搬入する。そして、ディスク装置に搬入された収納ディスクを回転させ、この収納ディスクに対して再生あるいは記録を行う。【０００３】
従来のカートリッジ対応型のディスク装置では、カートリッジを載置するトレイの搬出方向側端部には、切欠部が形成されていた。この切欠部は、カートリッジ載置面に載置されたカートリッジをユーザーによって取り出しやすくするためである。ここで、トレイの搬出方向側端部をディスク装置自体あるいはディスク装置を搭載する電子機器の外観面とするために、このトレイの搬出方向側端部にトレイ銘板部を形成したディスク装置がある。このようなディスク装置においては、上記切欠部をトレイの搬出方向側端部に形成することができず、カートリッジ載置面に載置されたカートリッジが取り出しにくいという問題があった。【０００４】
そこで、従来のカートリッジ対応型のディスク装置では、例えば特許文献１に示すように、トレイがディスク載置位置に移動した際に、カートリッジを載置するカートリッジ載置面全体を傾斜させるディスク装置がある。この特許文献１に示すディスク装置によれば、トレイがディスク載置位置に移動した際に、搬出方向側端部を基点としてカートリッジ載置面を傾斜させることで、カートリッジをカートリッジ載置面に置きやすく、取り出しやすくするものである。【０００５】
【特許文献１】特開２００１−２５６７０４号公報
【発明の開示】
【発明が解決しようとする課題】
【０００６】
ところで、上記特許文献１に示すようなディスク装置では、傾斜した状態のカートリッジ載置面にカートリッジを載置し、トレイがディスク再生位置に移動するまでに、このカートリッジ載置面を水平となるまで移動させる。従って、カートリッジ載置面は、トレイがディスク載置位置に移動した際と、ディスク再生位置に移動した際とでは、姿勢が異なる。これにより、このカートリッジ載置面に載置されたカートリッジのトレイに対する位置決めの精度が低下するという問題がある。また、特許文献１に示すようなディスク装置では、トレイがディスク載置位置に移動した際に、カートリッジ載置面のみならず未収納ディスクを載置する未収納ディスク載置面も傾斜することとなる。従って、未収納ディスクを未収納ディスク載置面が傾斜した状態で載置することとなり、未収納ディスクの載置を確実に行うことができないという問題もある。【０００７】
この発明は、上述した課題をその一例として解決するものであって、少なくともカートリッジのトレイに対する位置決めの精度を向上することができるとともに、カートリッジをカートリッジ載置面から取り出しやすくすることができるディスク装置を提供することを目標とする。
【課題を解決するための手段】
【０００８】
本発明の請求項１に記載のディスク装置は、少なくともカートリッジに収納された収納ディスクに記録された情報の再生あるいは当該収納ディスクへの情報の記録の少なくともいずれか一方を行うディスク装置において、前記収納ディスクを前記ディスク装置に搬出入する搬出入方向のうち搬出方向側端部に形成されたトレイ銘板部および前記カートリッジを載置するカートリッジ載置面を有し、当該カートリッジを載置するディスク載置位置から前記収納ディスクの再生記録を行うディスク再生位置までを移動するトレイと、前記カートリッジ載置面の搬出方向側に配置され、前記カートリッジ載置面にカートリッジが載置された際に、当該カートリッジが接触する接触面を有し、当該カートリッジが水平となる水平位置から当該カートリッジのトレイ銘板部側が当該トレイに対して持ち上げられるリフト位置までを移動するリフトレバーと、前記トレイがディスク載置位置に移動するまでに、前記リフトレバーをリフト位置に移動させ、当該トレイがディスク再生位置に移動するまでに、当該リフトレバーを水平位置まで移動させるリフトレバー移動手段と、を備えることを特徴とする。
【発明の効果】
【０００９】
本発明にかかるディスク装置は、少なくともカートリッジのトレイに対する位置決めの精度を向上することができるとともに、カートリッジをカートリッジ載置面から取り出しやすくすることができるという効果を奏する。
【図面の簡単な説明】
【００１０】
【図１】図１は、この実施例１にかかるディスク装置の構成例（正面図）を示す図である。
【図２】図２は、この実施例１にかかるディスク装置の構成例（概略断面図）を示す図である。
【図３−１】図３−１は、トレイの構成例を示す図（平面図）である。
【図３−２】図３−２は、トレイの構成例を示す図（正面図）である。
【図４−１】図４−１は、リフトレバーの構成例を示す図（平面図）である。
【図４−２】図４−２は、リフトレバーの構成例を示す図（平面図）である。
【図５−１】図５−１は、リフトアームの構成例を示す図（平面図）である。
【図５−２】図５−２は、リフトアームの構成例を示す図（平面図）である。
【図６】図６は、この実施例１にかかるディスク装置の動作説明図である。
【図７】図７は、この実施例１にかかるディスク装置の動作説明図である。
【図８】図８は、この実施例１にかかるディスク装置の動作説明図である。
【図９】図９は、この実施例１にかかるディスク装置の動作説明図である。
【図１０】図１０は、この実施例１にかかるディスク装置の動作説明図である。
【図１１】図１１は、この実施例２にかかるディスク装置の構成例（正面図）を示す図である。
【図１２】図１２は、この実施例２にかかるディスク装置の動作説明図である。
【図１３】図１３は、この実施例２にかかるディスク装置の動作説明図である。
【符号の説明】
【００１１】
１−１，１−２  ディスク装置
２  トレイ
２１  カートリッジ載置面
２１ａ，２１ｂ  未収納ディスク載置面
２１ｃ  位置決めピン
２１ｄ  レバー収納部
２１ｅ，ｆ  軸受
２１ｇ  開口部
２２  スライド部材
２３  トレイ銘板部
２４  裏面
２５  規制用リブ
２６  ガイド用リブ
２７  アーム支持部材
２８  付勢部材収納部
３  カートリッジ傾斜機構
３１  リフトレバー
３１ａ  接触面
３１ｂ  接触用リブ
３１ｃ，ｄ  回転軸
３１ｅ  支持部材
３１ｆ  摺動ピン
３２  リフトアーム
３２ａ  平坦部
３２ｂ  傾斜部
３２ｃ  突出部
３３  レバー付勢部材
３４  アーム付勢部材
３５  レバー規制手段
３５ａ  レバー規制部材
３５ｂ  支持部材
４  ディスク装置本体
４１  搬出入口
４２ａ〜ｆ  ガイド部材
４３  規制部材
５  カートリッジ
５１  本体部
５２  シャッター
５３  位置決め穴
Ｄ１  収納ディスク
Ｄ２  未収納ディスク
【発明を実施するための最良の形態】
【００１２】
以下、この発明につき図面を参照しつつ詳細に説明する。なお、下記実施の形態および実施例によりこの発明が限定されるものではない。また、下記実施の形態および実施例における構成要素には、当業者が容易に想定できるもの或いは実質的に同一のものが含まれる。なお、下記の実施例では、カートリッジに収納された収納ディスクおよびカートリッジに収納されていない未収納ディスクのいずれかに記録された情報の再生あるいはこの収納ディスクあるいは未収納ディスクのいずれかへの情報の記録を行うことができるディスク装置について説明するが、これに限定されるものではない。例えば、トレイにカートリッジ載置面のみしか形成されておらず、カートリッジに収納された収納ディスクのみに記録された情報の再生およびディスクへの情報の記録を行うことができるディスク装置であっても良い。【００１３】
〔実施の形態１〕
この実施の形態１に係るディスク装置は、少なくともカートリッジに収納されたディスクに記録された情報の再生あるいは当該ディスクへの情報の記録の少なくともいずれか一方を行い、トレイと、リフトレバーと、リフトレバー移動手段とを備える。トレイは、収納ディスクをディスク装置に搬出入する搬出入方向のうち搬出方向側端部にトレイ銘板部が形成されるとともに、カートリッジを載置するカートリッジ載置面が形成されている。このトレイは、このカートリッジが載置できるディスク載置位置からこの収納ディスクの再生記録を行うディスク再生位置までを移動するものである。リフトレバーは、カートリッジ載置面にカートリッジが載置された際に、このカートリッジが接触する接触面を有し、トレイのカートリッジ載置面の搬出方向側に配置される。このリフトレバーは、このカートリッジが水平となる水平位置からカートリッジのトレイ銘板部側がトレイに対して持ち上げられるリフト位置までを移動するものである。リフトレバー移動手段は、トレイがディスク載置位置に移動するまでに、リフトレバーをリフト位置に移動させ、このトレイがディスク再生位置に移動するまでに、リフトレバーを水平位置まで移動させるものである。【００１４】
この実施の形態１に係るディスク装置では、上記構成を特徴とすることで、トレイがディスク載置位置に移動した際に、リフトレバーがリフト位置に移動する。従って、カートリッジがカートリッジ載置面に載置されると、カートリッジの搬入方向側端部がカートリッジ載置面と接触し、搬出方向側端部がリフト位置に移動したリフトレバーの接触面と接触した状態となる。つまり、カートリッジは、搬入方向側端部を基点として、搬出方向側端部がトレイに対して持ち上げられた状態となる。これにより、トレイのカートリッジ載置面に載置されたカートリッジを取り出しやすくすることができる。【００１５】
また、この実施の形態１に係るディスク装置では、トレイがディスク再生位置に移動した際には、リフトレバーが水平位置に移動し、リフトレバーにより搬出方向端部がトレイに対して持ち上げられているカートリッジがトレイの移動に拘わらず水平を維持されているカートリッジ載置面に水平に載置されることとなる。従って、カートリッジ載置面全面が傾斜する従来のディスク装置と比較して、カートリッジのトレイに対する位置決めの精度を向上することができる。【００１６】
〔実施の形態２〕
この実施の形態２に係るディスク装置は、上記実施の形態１に係るディスク装置において、リフトレバーは、カートリッジ載置面に対して回転自在に支持される。また、このリフトレバーは、カートリッジ載置面側と反対側に露出する摺動ピンを有する。リフトレバー移動手段は、レバー付勢手段と、リフトアームと、アーム規制手段とを備える。レバー付勢手段は、リフトレバーを水平位置からリフト位置に向かう回転方向に付勢するものである。リフトアームは、カートリッジ載置面側と反対側に搬出入方向に移動自在に支持されるものである。また、このリフトアームは、搬出方向側端部に摺動ピンが乗り上げる傾斜部が形成される。アーム規制手段は、トレイがディスク載置位置まで移動する前までに、このリフトアームのディスク装置に対する移動を規制するものである。そして、リフトレバーは、トレイがディスク再生位置に移動するまでに、摺動ピンが傾斜部に乗り上げることで水平位置に移動する。また、リフトレバーは、トレイがディスク載置位置に移動するまでに、リフトアームがアーム規制手段によりディスク装置に対する移動が規制されることで、摺動ピンが乗り上げていた傾斜部からカートリッジ載置面側と反対側の面と接触することでリフト位置に移動する。【００１７】
この実施の形態２に係るディスク装置では、上記構成を特徴とすることで、トレイの移動に連動して、リフトレバーの移動を行うことができるので、簡単な構成で、カートリッジのトレイに対する位置決めの精度の低下を抑制しつつ、カートリッジをカートリッジ載置面から取り出しやすくすることができる。【００１８】
〔実施の形態３〕
この実施の形態３に係るディスク装置は、上記実施の形態１に係るディスク装置において、リフトレバーは、カートリッジ載置面に対して回転自在に支持される。また、このリフトレバーは、カートリッジ載置面側と反対側に突出する接触用リブを有する。リフトレバー移動手段は、レバー付勢手段と、レバー規制手段とを備える。レバー付勢手段は、リフトレバーを水平位置からリフト位置に向かう回転方向に付勢するものである。レバー規制手段は、トレイがディスク再生位置に移動した際における接触用リブと対向し、かつカートリッジ載置面からの高さがカートリッジの高さである。【００１９】
この実施の形態３に係るディスク装置では、上記構成を特徴とすることで、トレイがディスク載置位置からディスク再生位置まで移動することで、レバー規制手段は、搬出方向側端部がリフトレバーによりトレイに対して持ち上げられているカートリッジをトレイ側に押圧する。従って、リフトレバーは、トレイがディスク再生位置に移動するまでに、リフト位置から水平位置に移動する。また、トレイがディスク再生位置からディスク載置位置まで移動することで、レバー規制手段による上記カートリッジのトレイ側への押圧が解除される。従って、リフトレバーは、トレイがディスク載置位置に移動するまでに、水平位置からリフト位置に移動する。これにより、トレイの移動に連動して、リフトレバーの移動を行うことができるので、簡単な構成で、カートリッジのトレイに対する位置決めの精度の低下を抑制しつつ、カートリッジをカートリッジ載置面から取り出しやすくすることができる。【００２０】
〔実施の形態４〕
この実施の形態４に係るディスク装置は、上記実施の形態１〜３のいずれか１つに係るディスク装置において、カートリッジ載置面には、カートリッジに収納されていない未収納ディスクを載置する未収納ディスク載置面が形成されている。また、リフトレバーは、カートリッジ載置面のうち、未収納ディスク載置面を除く部分に配置される。【００２１】
この実施の形態４に係るディスク装置では、上記構成を特徴とすることで、未収納ディスク載置面は、リフトレバーの移動に拘わらず水平を維持することができる。未収納ディスクの載置を確実に行うことができる。【００２２】
〔実施の形態５〕
この実施の形態５に係るディスク装置は、上記実施の形態１〜４のいずれか１つに係るディスク装置において、トレイは、カートリッジ載置面にカートリッジが載置されている際に、カートリッジの位置決め穴に入り込む位置決めピンを当該カートリッジ載置面に有する。この位置決めピンの高さは、リフトレバーがリフト位置に移動した際に、位置決め穴に少なくとも先端部が入り込む高さとする。【００２３】
この実施の形態５に係るディスク装置では、上記構成を特徴とすることで、リフトレバーが水平位置に移動するまでに、カートリッジの位置決め穴にカートリッジ載置面の位置決めピンが入り込むので、リフトレバーがリフト位置から水平位置に移動する際に、位置決めピンがすでに位置決め穴に入り込んでいる。従って、カートリッジをカートリッジ載置面に確実に載置することができる。
【実施例１】
【００２４】
図１および図２は、この実施例１にかかるディスク装置の構成例を示す図である。図３−１および図３−２は、トレイの構成例を示す図である。図４−１および図４−２は、リフトレバーの構成例を示す図である。図５−１および図５−２は、リフトアームの構成例を示す図である。図６〜図１０は、この実施例１にかかるディスク装置の動作説明図である。ここで、図４−１および図４−２は、一方のリフトレバーを図示したものであり、他方のリフトレバーは、一方のリフトレバーと搬出入方向を挟んで対称形状である。この実施例では、カートリッジに収納されている収納ディスクおよびカートリッジに収納されていない未収納ディスクのいずれをも載置することができるトレイを備え、収納ディスクあるいは未収納ディスクのいずれかに記録された情報の再生およびこの収納ディスクあるいは未収納ディスクのいずれかへの情報の記録を行うことができるディスク装置について説明する。なお、収納ディスクおよび未収納ディスクは、ＤＶＤ（Digital Versatile Disc）、ＣＤ（Compact Disc）、ＢＤ（Blu-ray Disc）、ＨＤＤＶＤ（High Definition Digital Versatile Disc）などの光ディスクを含むものである。【００２５】
ディスク装置１−１は、図１および図２に示すように、トレイ２と、ディスク装置１−１の幅方向において対向する２つのカートリッジ傾斜機構３とを備えるものである。このトレイ２およびカートリッジ傾斜機構３は、ディスク装置本体４内に収納されている。このディスク装置本体４には、トレイ２を搬出入方向に移動させるトレイ移動手段、例えば図示しない駆動モータが収納されている。また、このディスク装置本体４には、トレイ２の移動に連動して、昇降する図示しないトラバースメカが収納されている。なお、このトラバースメカには、例えばターンテーブルなどのカートリッジ５に収納された収納ディスクＤ１（図８の二点鎖線）あるいはカートリッジに収納されていない未収納ディスクＤ２（図９の二点鎖線）をクランプするディスククランプ手段、例えばスピンドルなどのターンテーブルにクランプされた収納ディスクＤ１あるいは未収納ディスクＤ２を回転させるディスク回転手段や、例えばピックアップなどのこの収納ディスクＤ１あるいは未収納ディスクＤ２に記録された情報の読み込みおよび収納ディスクＤ１あるいは未収納ディスクＤ２への情報の書き込みを行う再生記録手段などが搭載されている。なお、図示しないトレイ移動手段、ディスク回転手段、再生記録手段などの制御は、図示しない制御装置により行われる。ここで、搬出入方向とはカートリッジ５に収納された収納ディスクＤ１あるいは未収納ディスクＤ２をディスク装置１−１に搬出入する方向をいい、搬出方向とはトレイ２をディスク再生位置からディスク載置位置に向かって移動させる方向をいい、搬入方向はトレイ２をディスク載置位置からディスク再生位置に向かって移動させる方向をいう。【００２６】
トレイ２は、カートリッジ５あるいは未収納ディスクＤ２を載置するディスク載置位置（図７参照）からこの載置されたカートリッジ５あるいは未収納ディスクＤ２をこの収納ディスクＤ１あるいは未収納ディスクＤ２の再生記録を行うディスク再生位置まで移動するものである。なお、このトレイ２の移動は、図示しないトレイ移動手段により行われる。つまり、図示しないトレイ移動手段は、カートリッジ５あるいは未収納ディスクＤ２をディスク装置１−１に搬入する際に、トレイ２をディスク載置位置からディスク再生位置まで移動させ、カートリッジ５あるいは未収納ディスクＤ２をディスク装置１−１から搬出する際に、トレイ２をディスク再生位置からディスク載置位置まで移動するものである。【００２７】
トレイ２は、図３−１および図３−２に示すように、搬出入方向におけるほぼ中央部からトレイ銘板部２３までの範囲に、カートリッジ載置面２１が形成されている。このカートリッジ載置面２１は、カートリッジ５を載置することができる面積を有している。このカートリッジ載置面２１には、未収納ディスク載置面２１ａ，２１ｂと、位置決めピン２１ｃと、２つのレバー収納部２１ｄとが形成されている。【００２８】
未収納ディスク載置面２１ａ，２１ｂは、未収納ディスクＤ２を載置するためものである。この未収納ディスク載置面２１ａ，２１ｂは、このカートリッジ載置面２１のほぼ中央部を凹ませることで形成されている。なお、未収納ディスク載置面２１ａには、直径が大きい未収納ディスクＤ２（１２ｃｍのディスク）を載置することができ、未収納ディスク載置面２１ｂには、直径が小さい未収納ディスク（例えば、８ｃｍのディスク）を載置することができる。【００２９】
また、位置決めピン２１ｃは、カートリッジ載置面２１に載置されたカートリッジ５の位置決め穴５３（図７参照）に入り込むものである。この位置決めピン２１ｃは、カートリッジ載置面２１のうち、上記未収納ディスク載置面２１ａ，２１ｂを除く部分に、突出して形成されている。なお、この位置決めピン２１ｃは、そのカートリッジ載置面２１からの高さＨ１が、リフトレバー３１のリフト位置時にこの位置決め穴５３に少なくとも先端部が入り込む高さ（図７参照）以上に設定されていることが好ましい。【００３０】
また、２つのレバー収納部２１ｄは、上記２つのカートリッジ傾斜機構３のリフトレバー３１をそれぞれ収納するものである。この各レバー収納部２１ｄは、カートリッジ載置面２１のうち、上記未収納ディスク載置面２１ａ，２１ｂを除く部分に、この実施例ではカートリッジ載置面２１のうち、搬出方向側の両端部を凹ませることで形成されている。この各レバー収納部２１ｄの幅方向内側の搬入方向端部近傍には、カートリッジ載置面２１の反対側の面である裏面２４と連通する開口部２１ｇが形成されている。この各収納面２１のカートリッジ載置面２１からの深さは、この各レバー収納部２１ｄに各リフトレバー３１がそれぞれ配置され、この各リフトレバー３１が水平位置に移動した際における各リフトレバー３１の接触面３１ａとこのカートリッジ載置面２１とがほぼ同一水平面となるように設定されている。また、各レバー収納部２１ｄには、搬入方向側両端部に各リフトレバー３１の回転軸３１ｃ，３１ｄをそれぞれ支持する軸受２１ｅ，２１ｆが形成されている。【００３１】
また、このトレイ２には、スライド部材２２が幅方向（図３−１の左右方向）に移動自在に支持されている。このスライド部材２２は、カートリッジ５のシャッター５２を開くものである。また、このスライド部材２２の幅方向への移動は、このスライド部材２２とディスク装置本体４との間に配置された図示しないスライドカム機構により行われる。このスライドカム機構は、例えばスライド部材２２のディスク装置本体４と対向する面に形成された図示しないスライドカムピンと、ディスク装置本体４のスライド部材２２と対向する面に形成された図示しない昇降カム溝とにより構成されている。この図示しないスライドカムピンは、上記トレイ２の移動に連動、すなわち収納ディスクＤ１あるいは未収納ディスクＤ２の搬出入動作に連動して、この図示しないスライドカム溝を摺動する。このスライドカム機構は、トレイ２がディスク再生位置に位置する前に、このスライド部材２２を幅方向のうち、シャッター５２を開く方向に移動させることで、シャッター５２と接触させ、このシャッター５２を開く。【００３２】
また、このトレイ２には、搬出方向側端部にトレイ銘板部２３が形成されている。このトレイ銘板部２３は、その外周がディスク装置本体４の搬出方向側端面に形成された搬出入口４１の外周よりも広く形成されている。また、トレイ銘板部２３は、トレイ２がディスク再生位置に位置したときに、このディスク装置本体４の搬出方向側端面と接触するように形成されている。従って、このトレイ銘板部２３は、この実施例１では、図１および図２に示すように、トレイ２がディスク再生位置に位置したときに、搬出入口４１を閉塞することができる。これにより、ディスク装置１−１の防塵を図ることができる。なお、このトレイ銘板部２３は、ディスク装置本体４に形成された搬出入口４１を閉塞するものに限られず、このディスク装置１−１を搭載する電子機器に形成された搬出入口を閉塞するものであっても良い。この場合は、ディスク装置１−１の防塵のみならず電子機器の防塵を図ることができる。【００３３】
このトレイ２の幅方向における両端部には、規制用リブ２５およびガイド用リブ２６がそれぞれ形成されている。各規制用リブ２５は、カートリッジ載置面２１に載置されたカートリッジ５の幅方向への移動を規制するものである。この規制用リブ２５は、図２に示すように、カートリッジ載置面２１からディスク装置１−１の厚さ方向（図２の上下方向）に突出して形成されている。また、各規制用リブ２５は、トレイ２の搬入方向端部からカートリッジ載置面２１のほぼ中央部まで延在して形成されている。各ガイド用リブ２６は、ディスク装置本体４に形成された複数のガイド部材４２ａ〜ｆに支持されることで、トレイ２を搬出入方向に移動自在に支持するものである。各ガイド用リブ２６は、幅方向外側（図１の上下方向）に突出して形成されている。また、各ガイド用リブ２６は、トレイ２の搬入方向端部からトレイ銘板部２３まで延在して形成されている。【００３４】
また、このトレイ２の裏面２４には、各カートリッジ傾斜機構３の各リフトアーム３２を搬出入方向に移動自在にそれぞれ支持する複数のアーム支持部材２７が形成されている。この各アーム支持部材２７は、裏面２４から突出して形成されている。この各アーム支持部材２７は、幅方向における両端部近傍に配置され、この両端部近傍のそれぞれに、搬出入方向に等間隔に配置されている。【００３５】
また、このトレイ２の裏面２４には、各カートリッジ傾斜機構３の各アーム付勢部材３４をそれぞれ収納する２つの付勢部材収納部２８が形成されている。この付勢部材収納部２８は、上記複数のアーム支持部材２７により各リフトアーム３２が支持された際に、このリフトアーム３２の搬入方向側端部とこの収納されたアーム付勢部材３４の搬出方向側端部とが対向するように形成されている。【００３６】
各カートリッジ傾斜機構３は、トレイ２がディスク載置位置に位置した際に、カートリッジ載置面２１に載置されたカートリッジ５の搬出方向側端部をトレイ２に対して持ち上げることでこのカートリッジ５を傾斜させるものである。この各カートリッジ傾斜機構３は、リフトレバー３１と、リフトレバー移動手段とにより構成されている。このリフトレバー移動手段は、リフトアーム３２と、レバー付勢部材３３と、アーム付勢部材３４と、このリフトアーム３２に形成された突出部３２ｃとディスク装置本体４に形成された規制部材とからなるアーム規制手段とにより構成されている。【００３７】
各リフトレバー３１は、図４−１および図４−２に示すように、接触面３１ａと、接触用リブ３１ｂと、回転軸３１ｃ，ｄと、支持部材３１ｅと、摺動ピン３１ｆとにより構成されている。【００３８】
各接触面３１ａは、少なくとも各リフトレバー３１がリフト位置に移動した際に、カートリッジ載置面２１に載置されたカートリッジ５の搬出方向端部が接触する面である。この各接触面３１ａは、搬出入方向が長手方向となる長方形状に形成されている。【００３９】
各接触用リブ３１ｂは、各接触面３１ａから厚さ方向の一方向に（図４−２の上方向）突出して形成されている。この各接触用リブ３１ｂは、各接触面３１ａの幅方向外側端部（図４−１の下側）から搬出方向側端部まで形成されている。【００４０】
各回転軸３１ｃ，ｄは、各リフトレバー３１をカートリッジ載置面２１に対して回転自在に支持するものである（図２参照）。この各回転軸３１ｃ，ｄは、図４−１に示すように、各接触面３１ａの搬入方向側両側面から幅方向外側に突出してそれぞれ形成されている。この各回転軸３１ｃ，ｄは、各リフトレバー３１が各レバー収納部２１ｄにそれぞれ収納された際に、軸受２１ｅ，ｆとそれぞれ対向するものである。【００４１】
各支持部材３１ｅは、各接触面３１ａの裏面から厚さ方向のうち他方向に（図４−２の下方向）突出して形成されている。この各支持部材３１ａは、各リフトレバー３１が各レバー収納部２１ｄにそれぞれ収納された際に、各開口部２１ｇからカートリッジ載置面２１と反対側の面である裏面に突出するものである。【００４２】
各摺動ピン３１ｆは、各リフトアーム３２の傾斜部３２ｂを乗り上げるか否かで、各リフトレバー３１をリフト位置から水平位置に、水平位置からリフト位置に移動させるものである。各摺動ピン３１ｆは、各支持部材３１ｅの厚さ方向のうち他方向（図４−２の下方向）の端部に、幅方向内側（図４−１の上方向）にそれぞれ突出して形成されている。【００４３】
各リフトアーム３２は、図５−１および図５−２に示すように、平坦部３２ａと、傾斜部３２ｂと、突出部３２ｃとにより構成されている。【００４４】
各平坦部３２ａは、各レバー収納部２１ｄにそれぞれ収納された各リフトレバー３１の摺動ピン３１ｆが各傾斜部３２ｂを乗り上げて接触すると、各リフトレバー３１が水平位置に位置するものである。この各平坦部３２ａは、搬出入方向が長手方向となる平板形状に形成されている。【００４５】
各傾斜部３２ｂは、各リフトアーム３２の搬出方向側端部に形成されている。この各傾斜部３２ｂは、各リフトアーム３２が複数のアーム支持部材２７により、トレイ２の裏面２４に移動自在に支持された際に、この裏面２４に向かって傾斜するものである。つまり、各レバー収納部２１ｄにそれぞれ収納された各リフトレバー３１の摺動ピン３１ｆは、この各傾斜部３２ｂを挟んで、各平坦部３２ａと裏面２４との間を摺動し、各リフトレバー３１がリフト位置から水平位置に、水平位置からリフト位置に移動する。【００４６】
各突起部３２ｃは、アーム規制手段の一部を構成するものである。この各突起部３２ｃは、各リフトアーム３２の搬入方向側端部に厚さ方向のうち他方向（図５−２の下方向）に突出して形成されている。この各突起部３２ｃは、トレイ２がディスク載置位置に移動するまでに、ディスク装置本体４に形成された規制部材４３と接触し、各リフトアーム３２のディスク装置１−１に対する搬出方向への移動を規制するものである。【００４７】
各レバー付勢部材３３は、レバー付勢手段であり、各リフトレバー３１を水平位置からリフト位置に向かう回転方向（図６の矢印Ａ方向）に付勢するものである。この各レバー付勢部材３３は、図１に示すように、各回転軸３１ｃ，ｄにそれぞれ支持され、その一方の端部が各リフトレバー３１と接触し、他方の端部が各レバー収納部２１ｄと接触する。これにより、各レバー付勢部材３３は、各リフトレバー３１と各レバー収納部２１ｄと間に配置され、各リフトレバー３１に付勢力を作用させる。【００４８】
各アーム付勢部材３４は、複数のアーム支持部材２７により、トレイ２の裏面２４に移動自在に支持された各リフトアーム３２を搬出方向に付勢するものである。この各アーム付勢部材３４は、図１に示すように、各付勢部材収納部２８に収納されることで、その搬出方向側端部がこの裏面２４に移動自在に支持された各リフトアーム３２の搬入方向側端部と対向し、摺動ピン３１ｆが裏面２４から傾斜部３２ｂに乗り上げる際に各リフトアーム３２と接触することで傾斜部３２ｂを乗り上げることができる付勢力をこの各リフトアーム３２に作用させる。【００４９】
ディスク装置本体４は、図１および図２に示すように、搬出入口４１と、複数のガイド部材４２ａ〜ｆと、２つの規制部材４３とにより構成されている。搬出入口４１は、トレイ２に載置されたカートリッジ５に収納された収納ディスクＤ１あるいは未収納ディスクＤ２をディスク装置１−１に搬出入するものであり、ディスク装置本体４の搬出方向側端面に形成されている。【００５０】
複数のガイド部材４２ａ〜ｆは、トレイ２の各ガイド用リブ２６にそれぞれ対向するディスク装置本体４の図示しない内壁面に形成されている。この複数のガイド部材４２ａ〜ｆは、トレイ２の各ガイド用リブ２６を挟んで対向する一対のガイド部材を搬出入方向に複数箇所、ここでは３箇所（４２ａと４２ｂ、４２ｃと４２ｄ、４２ｅと４２ｆ）に配置することで構成されている。この複数のガイド部材４２ａ〜ｆは、搬出入方向への移動をガイドするものである。【００５１】
２つの規制部材４３は、アーム規制手段の一部を構成するものである。この各規制部材４３は、トレイ２の裏面２４に移動自在に支持された各リフトアーム３２の各突起部３２ｃの搬出方向側面と対向するように、ディスク装置本体４の図示しない内壁面に形成されている。この各規制部材４３は、各突起部２３と接触する位置からトレイ２がディスク載置位置に移動するまでの距離が、各平坦部３２ａに接触していた各摺動ピン３１ｆが各傾斜部３２ｂを介して裏面２４と接触するのに必要な距離以上となる位置に形成されている。【００５２】
なお、カートリッジ５は、図７に示すように、収納ディスクＤ１を収納するものである。このカートリッジ５は、本体部５１と、シャッター５２とにより構成されている。本体部５１の内部には、収納ディスクＤ１が収納されている。シャッター５２は、カートリッジ５の両側面に向かう方向、すなわちカートリッジ５がトレイ２に載置された際の幅方向に摺動することができるものである。また、このシャッター５２は、図示しないシャッター付勢部材により付勢力が作用しており、外力が加わっていない場合に、本体部５１に対して閉じる位置、すなわちカートリッジ５の外部に収納ディスクＤ１を露出させない位置となる。なお、５３は、カートリッジ５がカートリッジ載置面２１に載置された際に、位置決めピン２１ｃが入り込む位置決め穴である。【００５３】
次に、ディスク装置１−１を組み立てについて説明する。まず、図１および図２に示すように、トレイ２の各レバー収納部２１ｄに各リフトレバー３１を収納する。ここでは、軸受２１ｅ，ｆにより各回転軸３１ｃ，ｄをそれぞれ支持する。これにより、各リフトレバー３１は、トレイ２のカートリッジ載置面２１に対して回転自在に支持する。このとき、各回転軸３１ｃと軸受２１ｅとの間には、各レバー付勢部材３３が配置される。ここで、各支持部材３１ｅおよび各摺動ピン３１ｆは、カートリッジ載置面側と反対側に露出する。【００５４】
次に、各付勢部材収納部２８に各アーム付勢部材３４を収納する。次に、各リフトアーム３２を複数のアーム支持部材２７により支持する。これにより、各リフトアーム３２は、トレイ２のカートリッジ載置面側と反対側に搬出入方向に移動自在に支持される。【００５５】
トレイ２の各ガイド用リブ２６をディスク装置本体４の複数のガイド部材４２ａ〜ｆにより支持する。これにより、ディスク装置本体４は、トレイ２を搬出入方向に移動自在に支持する。【００５６】
次に、この実施例１にかかるディスク装置１−１の動作について説明する。まず、収納ディスクＤ１の搬出動作、搬入動作について説明する。ディスク装置１−１は、搬出動作が行われる前には、図１および図２に示すように、トレイ２がディスク再生位置に位置する。また、リフトレバー３１は、各摺動ピン３１ｆが平坦部３２ａと接触するので、水平位置に位置する。【００５７】
まず、図示しないトレイ移動手段を図示しない制御装置により駆動し、搬出動作を開始する。これにより、トレイ２は、ディスク再生位置から搬出方向に向かって移動を開始する。このとき、各リフトアーム３２は、アーム規制手段により搬出方向へのディスク装置１−１に対する移動が規制されていないため、トレイ２とともに搬出方向に向かって移動を開始する。これにより、搬出動作が終了する。【００５８】
次に、図示しないトレイ移動手段を図示しない制御装置によりさらに駆動し、トレイ２は、ディスク再生位置から搬出方向に向かってさらに移動させると、図６に示すように、各リフトアーム３２の突起部３２ｃとディスク装置本体４の規制部材４３とが接触する。これにより、各リフトアーム３２は、搬出方向へのディスク装置１−１に対する移動が規制される。つまり、トレイ２がディスク再生位置から搬出方向に向かってさらに移動すると、各アーム付勢部材３４により各リフトアーム３２に作用する付勢力に対向して、このトレイ２と各リフトアーム３２との相対位置が変化し、トレイ２が各リフトアーム３２に対して搬出方向に移動することとなる。これにより、平坦部３２ａと接触していた各摺動ピン３１ｆが各リフトアーム３２に対して搬出方向に移動し、傾斜部３２ｂを搬出方向に向かって摺動する。従って、各リフトアーム３２は、レバー付勢部材３３によって作用する付勢力により、カートリッジ載置面２１に対して同図矢印Ａ方向に回転する。つまり、各リフトレバー３１は、水平位置からリフト位置に向かって移動する。【００５９】
次に、トレイ２がさらに搬出方向に移動すると、傾斜部３２ｂを摺動していた各摺動ピン３１ｆは、トレイ２の裏面２４と接触する。これにより、各リフトレバー３１は、レバー付勢部材３３によって作用する付勢力により、図７に示すように、水平位置からリフト位置に移動する。そして、各リフトレバー３１がリフト位置に移動すると同時あるいはリフト位置に移動した後に、トレイ２がディスク載置位置に移動し、搬出動作が終了する。【００６０】
次に、ディスク載置位置に位置するトレイ２にカートリッジ５を載置する。ユーザーは、図７に示すように、ディスク装置１の外部に露出したトレイ２のカートリッジ載置面２１にカートリッジ５を載置する。カートリッジ５がカートリッジ載置面２１に載置されると、各リフトレバー３１がリフト位置に位置しているため、カートリッジ５の搬入方向側端部がカートリッジ載置面２１と接触し、搬出方向側端部が各リフトレバー３１の接触面３１ａと接触した状態となる。つまり、カートリッジ５は、搬入方向側端部を基点として、搬出方向側端部がトレイ２に対して持ち上げられた状態、すなわち傾斜した状態となる。【００６１】
このとき、カートリッジ５の位置決め穴５３には、カートリッジ載置面２１の位置決めピン２１ｃが入り込んでいる。従って、各リフトレバー３１がリフト位置から水平位置に移動するまでに、この位置決めピン２１ｃがすでに位置決め穴５３に入り込んでいる。これにより、各リフトレバーがリフト位置から水平位置に移動する際に、位置決め穴５３に位置決めピン２１ｃが入り込まず、カートリッジ５をカートリッジ載置面２１に水平に載置できない虞を抑制することができ、このカートリッジ５をカートリッジ載置面２１に確実に載置することができる。【００６２】
次に、図示しないトレイ移動手段を図示しない制御装置により駆動し、搬入動作を開始する。このトレイ移動手段の駆動方向は、上記搬出動作の際における駆動方向と反対方向である。従って、カートリッジ５が傾斜した状態で載置されたトレイ２は、図７に示すディスク載置位置から搬入方向に向かって移動を開始し、図８に示すディスク載置位置まで移動する。このとき、各アーム付勢部材３４によって各リフトアーム３２に作用していた付勢力により、この各リフトアーム３２の各突起部３２ｃとディスク装置本体４の規制部材４３との接触が維持される。従って、このトレイ２と各リフトアーム３２との相対位置が変化し、トレイ２が各リフトアーム３２に対して搬入方向に移動することとなる。これにより、トレイ２の裏面２４と接触していた各摺動ピン３１ｆは、傾斜部３２ｂに乗り上げ、この傾斜部３２ｂを搬入方向に向かって摺動する。そして、各リフトレバー３１は、各レバー付勢部材３３によって作用する付勢力に対抗して、カートリッジ載置面２１に対して図７矢印Ｂ方向に回転する。つまり、各リフトレバー３１は、リフト位置から水平位置に向かって移動する。従って、カートリッジ５が傾斜した状態からカートリッジ載置面２１に向かって移動する。【００６３】
次に、図示しないトレイ移動手段を図示しない制御装置によりさらに駆動し、トレイ２をディスク載置位置から搬入方向に向かってさらに移動させると、各リフトアーム３２に各アーム付勢部材３４による付勢力が作用しなくなり、この各リフトアーム３２の突起部３２ｃとディスク装置本体４の規制部材４３との接触が終了する。これにより、各リフトアーム３２は、搬入方向へのディスク装置１−１に対する移動の規制が解除され、トレイ２とともに搬入方向へ移動する。このとき、各傾斜部３２ｂに乗り上げ、この傾斜部３２ｂを搬入方向に向かって摺動していた各摺動ピン３１ｆが平坦部３２ａと接触する。つまり、各リフトレバー３１は、リフト位置から水平位置に移動し、カートリッジ載置面２１に対して傾斜状態であったカートリッジ５がこのカートリッジ載置面２１に水平に載置される。そして、各リフトレバー３１が水平位置に移動した後に、トレイ２がディスク再生位置に移動し、搬入動作が終了する。なお、カートリッジ５は、カートリッジ載置面２１に対して傾斜した状態からこのカートリッジ載置面２１に水平に載置されるまでに、スライド部材２２とトレイ銘板部２３との間に位置する。従って、トレイ２がディスク再生位置に移動し、カートリッジ載置面２１に水平に載置されたカートリッジ５は、トレイ２に対する搬出入方向における移動が規制される。【００６４】
なお、スライド部材２２は、この搬入動作に連動して、図示しないスライドカム機構により、幅方向のうち一方向側の位置から図１に示す他方向側に移動する。従って、スライド部材２２は、シャッター５２と接触し、このシャッター５２を図示しないシャッター付勢部材によりこのシャッター５２に作用する付勢力に対抗して、幅方向のうち一方向側から他方向側に移動する。これにより、スライド部材２２は、シャッター５２を開き、本体部５１に収納されている収納ディスクＤ１を外部に露出させる。【００６５】
なお、ディスク装置１−１に搬入された収納ディスクＤ１を搬出する際には、このディスク装置１−１は、上記搬出動作と同一の動作を行う。従って、トレイ２がディスク載置位置に移動した際に、カートリッジ載置面２１に水平に載置されていたカートリッジ５がこのカートリッジ載置面２１に対して傾斜した状態となる。これにより、トレイ２のカートリッジ載置面２１に載置されたカートリッジ５を取り出しやすくすることができる。【００６６】
また、トレイ２がディスク再生位置に移動した際には、各リフトレバー３１が水平位置に移動し、各リフトレバー３１により搬出方向端部がトレイ２に対して持ち上げられているカートリッジ５が、トレイ２の移動に拘わらず水平を維持されているカートリッジ載置面２１に水平に載置されることとなる。従って、カートリッジ載置面２１全面が傾斜する従来のディスク装置と比較して、カートリッジ５のトレイ２に対する位置決めの精度を向上することができる。【００６７】
さらに、各カートリッジ傾斜機構３は、各リフトレバー３１の移動を、トレイ２の移動に連動して行うので、簡単な構成でカートリッジ５をカートリッジ載置面２１に対して傾斜させることができる。【００６８】
次に、未収納ディスクＤ２の搬出動作、搬入動作について説明する。なお、未収納ディスクＤ２の搬出動作は、上記収納ディスクＤ１の搬出動作と同一であるので、その説明は省略する。【００６９】
次に、ディスク載置位置に移動したトレイ２に未収納ディスクＤ２を載置する。ユーザーは、図９に示すように、ディスク装置１−１の外部に露出したカートリッジ載置面２１の未収納ディスク載置面２１ａに未収納ディスクＤ２を載置する。このとき、各リフトレバー３１は、水平位置からリフト位置に移動しているが、この各リフトレバー３１は、カートリッジ載置面２１のうち、未収納ディスク載置面２１ａ，ｂを除く部分、この実施例１では、各レバー収納部２１ｄに位置する。従って、未収納ディスク載置面２１ａ，ｂは、各リフトレバー３１の移動に拘わらず水平を維持することができる。これにより、未収納ディスクＤ２の載置を確実に行うことができる。【００７０】
次に、図示しないトレイ移動手段を図示しない制御装置により駆動し、搬入動作を開始する。未収納ディスクＤ２が載置されたトレイ２は、図９に示すディスク載置位置から搬入方向に向かって移動を開始し、図１０に示すディスク載置位置まで移動する。このとき、各リフトレバー３１は、上述のように、リフト位置から水平位置へ移動する。そして、各リフトレバー３１が水平位置に移動した後に、トレイ２がディスク再生位置に移動し、未収納ディスクＤ２の搬入動作が終了する。【００７１】
以上のように、この実施例１にかかるディスク装置１−１では、少なくともカートリッジ５に収納された収納ディスクＤ１に記録された情報の再生あるいはこの収納ディスクＤ１への情報の記録の少なくともいずれかを行うディスク装置１−１において、収納ディスクＤ１をディスク装置１−１に搬出入する搬出入方向のうち搬出方向側端部に形成されたトレイ銘板部２３およびカートリッジ５を載置するカートリッジ載置面２１を有し、カートリッジ５を載置するディスク載置位置から収納ディスクＤ２の再生記録を行うディスク再生位置までを移動するトレイと、カートリッジ載置面２１の搬出方向側に配置され、カートリッジ載置面２１にカートリッジ５が載置された際に、このカートリッジ５が接触する接触面３１ａを有し、カートリッジ５が水平となる水平位置からカートリッジ５の搬出方向側がトレイ２に対して持ち上げられるリフト位置までを移動する各リフトレバー３１と、トレイ２がディスク載置位置に移動するまでに、各リフトレバー３１をリフト位置に移動させ、トレイ２がディスク再生位置に移動するまでに、この各リフトレバー３１を水平位置まで移動させるリフトレバー移動手段（リフトアーム３２、レバー付勢部材３３、アーム付勢部材３４、このリフトアーム３２に形成された突出部３２ｃとディスク装置本体４に形成された規制部材４３とからなるアーム規制手段）とを備えるので、カートリッジ５のトレイ２に対する位置決めの精度を向上することができるとともに、カートリッジ５をカートリッジ載置面２１から取り出しやすくすることができる。
【実施例２】
【００７２】
次に、実施例２にかかるディスク装置１−２について説明する。図１１は、この実施例２にかかるディスク装置の要部断面図である。図１２および図１３は、この実施例２にかかるディスク装置１−２の動作説明図である。図１１に示す実施例２にかかるディスク装置１−２が図１〜図５−２に示す実施例１にかかるディスク装置１−１と異なる点は、リフトレバー移動手段として、各リフトアーム３２、各アーム付勢部材３４、およびアーム規制手段の代わりに、レバー規制手段３５を用いた点である。なお、リフトレバー移動手段には、実施例１にかかるディスク装置１−１にも備えられているレバー付勢手段（図示省略）が含まれる。また、この実施例２にかかるディスク装置１−２の基本的構成のうち、実施例１にかかるディスク装置１−１の基本的構成と同一部分（図１〜図５−２と図１１において同一符号部分）は、簡略化あるいは省略して説明する。【００７３】
トレイ２の各規制用リブは、第１規制用リブ２５ａと、第２規制用リブ２５ｂとにより構成されている。第１規制用リブ２５ａは、その高さがカートリッジ載置面２１に水平に載置された際におけるカートリッジ５の高さとほぼ同一に形成されている。第２規制用リブ２５ｂは、その高さがカートリッジ載置面２１に水平に載置された際におけるカートリッジ５の高さよりも低く形成されている。この第１規制用リブ２５ａと第２規制用リブ２５ｂは、搬出方向に向かって第１規制用リブ２５ａ、第２規制用リブ２５ｂの順番で、一体に形成されている。この第１規制用リブ２５ａと第２規制用リブ２５ｂとは、傾斜面を介して接続されている。また、第２規制用リブ２５ｂの搬出方向側端部は、カートリッジ載置面２１と接続する傾斜面が形成されている。【００７４】
レバー規制手段３５は、図１１に示すように、トレイ２がディスク再生位置に移動した際における各リフトレバー３１の各接触用リブ３１ｂとそれぞれ対向するように、ディスク装置本体４の図示しない内壁面に２つ設けられている。この各レバー規制手段３５は、レバー規制部材３５ａと、支持部材３５ｂとにより構成されている。【００７５】
各レバー規制部材３５ａは、円筒形状であり、例えばカートリッジ５と接触しても、このカートリッジ５の損傷を抑制することができる合成樹脂などにより形成されている。この各レバー規制部材３５ａは、各支持部材３５ｂにそれぞれ回転自在に支持されている。各支持部材３５ｂは、ディスク装置本体４の図示しない内壁面のトレイ２がディスク再生位置に移動した際における各リフトレバー３１の各接触用リブ３１ｂに対向するトレイ側に向かって突出してそれぞれ形成されている。つまり、この各支持部材３５ｂに回転自在に支持された各レバー規制部材３５ａは、トレイ２がディスク再生位置に移動した際における各リフトレバー３１の各接触用リブ３１ｂとそれぞれ対向する。【００７６】
ここで、この各レバー規制部材３５ａのトレイ２のカートリッジ載置面２１からの高さＨ２は、カートリッジ５の高さ、すなわちカートリッジ載置面２１から、このカートリッジ載置面２１に水平に載置されたカートリッジ５のカートリッジ載置面側と反対側の面までの高さに設定されている。【００７７】
次に、ディスク装置１−２の動作について説明する。なお、ディスク装置１−２の基本的動作は、ディスク装置１−１の基本的動作とほぼ同一であるので、簡略化して説明する。まず、カートリッジ５の搬出動作、搬入動作について説明する。ディスク装置１−２は、搬出動作が行われる前には、同図に示すように、トレイ２がディスク再生位置に位置する。また、各リフトレバー３１は、図示しないレバー付勢手段により作用する付勢力により、水平位置からリフト位置に向かう回転方向である同図矢印Ｄ方向に回転しようとするが、回転接触用リブ３１ｂが各レバー規制手段３５の各レバー規制部材３５ａと接触するため、この接触した位置からさらにリフト位置に移動することが規制される。【００７８】
まず、図示しないトレイ移動手段を図示しない制御装置により駆動し、搬出動作を開始する。これにより、トレイ２は、ディスク再生位置から搬出方向に向かって、ディスク載置位置まで移動する。このとき、各接触用リブ３１ｂは、各レバー規制部材３５ａに対して搬出方向に移動する。従って、各レバー規制部材３５ａは、各接触用リブ３１ｂとの接触を維持しながら、同図矢印Ｃ方向に回転する。ここで、各レバー規制部材３５ａの回転の中心は、各リフトレバー３１の回転の中心（回転軸３１ｃ，ｄ）よりも搬出方向側に位置している。これにより、各リフトレバー３１は、図示しないレバー付勢部材によって作用する付勢力により、カートリッジ載置面２１に対して同図矢印Ｄ方向に回転を開始する。そして、各リフトレバー３１は、各接触用リブ３１ｂが各レバー規制手段３５から離れると、図示しないレバー付勢部材によって作用する付勢力により、図１２に示すように、リフト位置に移動する。そして、各リフトレバー３１がリフト位置に移動した後に、トレイ２がディスク載置位置に移動し、搬出動作が終了する。なお、各レバー規制部材３５ａは、トレイ２がディスク載置位置に移動した状態において、各第１規制用リブ２５ａと接触する。【００７９】
次に、ディスク載置位置に位置するトレイ２にカートリッジ５を載置する。ユーザーは、同図に示すように、ディスク装置１の外部に露出したトレイ２のカートリッジ載置面２１にカートリッジ５を載置する。カートリッジ５は、各リフトレバー３１がリフト位置に位置するため、搬入方向側端部を基点として、搬出方向側端部がトレイ２に対して持ち上げられた状態、すなわち傾斜した状態となる。【００８０】
このとき、カートリッジ５の位置決め穴５３には、カートリッジ載置面２１の位置決めピン２１ｃが入り込んでいる。これにより、このカートリッジ５をカートリッジ載置面２１に確実に載置することができる。【００８１】
次に、図示しないトレイ移動手段を図示しない制御装置により駆動し、搬入動作を開始する。このトレイ移動手段の駆動方向は、上記搬出動作の際における駆動方向と反対方向である。従って、カートリッジ５が傾斜した状態で載置されたトレイ２は、図１２に示すディスク載置位置から搬入方向に向かって移動を開始し、図１３に示すディスク載置位置まで移動する。このとき、第１規制用リブ２５ａと接触していた各レバー規制部材３５ａは、傾斜した状態のカートリッジ５と接触する。各レバー規制部材３５ａは、トレイ２がディスク載置位置から搬入方向に向かってディスク再生位置まで移動するまで、この傾斜した状態のカートリッジ５と接触を維持する。従って、各レバー規制手段３５を構成する各レバー規制部材３５ａは、搬出方向側端部が各リフトレバー３１によりトレイ２に対して持ち上げられているカートリッジ５をトレイ側に押圧する。これにより、各リフトレバー３１は、トレイ２がディスク再生位置に移動するまでに、リフト位置から水平位置に移動し、カートリッジ載置面２１に対して傾斜した状態のカートリッジ５がこのカートリッジ載置面２１に水平に載置される。そして、各リフトレバー３１が水平位置に移動した後に、トレイ２がディスク再生位置に移動し、カートリッジ５の搬入動作が終了する。【００８２】
なお、ディスク装置１−２に搬入された収納ディスクＤ１を搬出する際には、このディスク装置１−２は、上記搬出動作と同一の動作を行う。従って、トレイ２がディスク再生位置からディスク載置位置まで移動することで、各レバー規制手段３５によるカートリッジ載置面２１に載置されたカートリッジ５のトレイ側への押圧が解除される。つまり、カートリッジ載置面２１に水平に載置されていたカートリッジ５がこのカートリッジ載置面２１に対して傾斜した状態となる。これにより、トレイ２のカートリッジ載置面２１に載置されたカートリッジ５を取り出しやすくすることができる。【００８３】
また、トレイ２がディスク再生位置に移動した際には、各リフトレバー３１が水平位置に移動し、各リフトレバー３１により搬出方向端部がトレイ２に対して持ち上げられているカートリッジ５が、トレイ２の移動に拘わらず水平を維持されているカートリッジ載置面２１に水平に載置されることとなる。従って、カートリッジ載置面２１全面が傾斜する従来のディスク装置と比較して、カートリッジ５のトレイ２に対する位置決めの精度を向上することができる。【００８４】
さらに、各カートリッジ傾斜機構３は、各リフトレバー３１の移動を、トレイ２の移動に連動して行うので、簡単な構成でカートリッジ５をカートリッジ載置面２１に対して傾斜させることができる。【００８５】
以上のように、この実施例２にかかるディスク装置１−２では、少なくともカートリッジ５に収納された収納ディスクＤ１に記録された情報の再生あるいはこの収納ディスクＤ１への情報の記録の少なくともいずれかを行うディスク装置１−１において、収納ディスクＤ１をディスク装置１−１に搬出入する搬出入方向のうち搬出方向側端部に形成されたトレイ銘板部２３およびカートリッジ５を載置するカートリッジ載置面２１を有し、カートリッジ５を載置するディスク載置位置から収納ディスクＤ２の再生記録を行うディスク再生位置までを移動するトレイと、カートリッジ載置面２１の搬出方向側に配置され、カートリッジ載置面２１にカートリッジ５が載置された際に、このカートリッジ５が接触する接触面３１ａを有し、カートリッジ５が水平となる水平位置からカートリッジ５の搬出方向側がトレイ２に対して持ち上げられるリフト位置までを移動する各リフトレバー３１と、トレイ２がディスク載置位置に移動するまでに、各リフトレバー３１をリフト位置に移動させ、トレイ２がディスク再生位置に移動するまでに、この各リフトレバー３１を水平位置まで移動させるリフトレバー移動手段（図示しないレバー付勢部材３３、レバー規制手段３５）とを備えるので、カートリッジ５のトレイ２に対する位置決めの精度を向上することができるとともに、カートリッジ５をカートリッジ載置面２１から取り出しやすくすることができる。【００８６】
なお、上記実施例１，２において、ディスク装置１−１，１−２は、各カートリッジ傾斜機構３を２つ備えるがこの発明はこれに限定されるものではなく、１つであっても良い。また、１つのリフトアームに、２つの接触面３１ａを形成し、この２つの接触面３１ａがカートリッジ載置面２１のうち、搬出方向側の両端部に位置するようにしても良い。【００８７】
また、トレイ２がディスク載置位置に位置した際に、リフト位置に移動している各リフトレバー３１を水平位置に移動させることで、この各リフトレバー３１の水平位置からの移動を規制するロック機構を設けても良い。この場合は、ロック解除機構により、トレイ２がディスク再生位置からディスク載置位置に移動した際に、この各リフトレバー３１の水平位置からの移動の規制を解除する。【００８８】
なお、この実施例１，２にかかるディスク装置１−１，１−２では、トレイ銘板部２３とこのトレイ銘板部２３の搬入方向側端面が接触するディスク装置本体４の搬出方向側端面との間に、嵌合手段を設けても良い。例えば、嵌合手段としては、トレイ銘板部２３の搬入方向側端面、ディスク装置本体４の搬出方向側端面の凹凸部をそれぞれ設ける。従って、トレイ銘板部２３が搬出入口４１を閉塞した際に、凸部が凹部に入り込む。これにより、トレイ銘板部２３と搬出入口４１との間から粉塵が入り込むことを抑制することができ、ディスク装置１−１，１−２の防塵をさらに図ることができる。【００８９】
また、この実施例１，２にかかるディスク装置１−１，１−２では、トレイ銘板部２３とこのトレイ銘板部２３の搬入方向側端面が接触するディスク装置本体４の搬出方向側端面との間に、緩衝部材を設けても良い。例えば、緩衝部材（ゴムや発泡部材など）をディスク装置本体４の搬出方向側端面に、搬出入口４１を囲むように設ける。これにより、トレイ銘板部２３が搬出入口４１を閉塞した際に、トレイ銘板部２３の搬入方向側端面とディスク装置本体４の搬出方向側端面との間に緩衝部材が介在することとなる。従って、トレイ銘板部２３と搬出入口４１との間から粉塵が入り込むことを抑制することができ、ディスク装置１−１，１−２の防塵をさらに図ることができる。
【産業上の利用可能性】
【００９０】
以上のように、この発明にかかるディスク装置は、少なくともカートリッジに収納された収納ディスクに記録された情報の再生あるいはこの収納ディスクへの情報の記録の少なくともいずれか一方を行うディスク装置に有用であり、特に、少なくともカートリッジのトレイに対する位置決めの精度を向上することができるとともに、カートリッジをカートリッジ載置面から取り出しやすくするのに適している。
【図１】
2007066735.tif 000003
【図２】
2007066735.tif 000004
【図３−１】
2007066735.tif 000005
【図３−２】
2007066735.tif 000006
【図４−１】
2007066735.tif 000007
【図４−２】
2007066735.tif 000008
【図５−１】
2007066735.tif 000009
【図５−２】
2007066735.tif 000010
【図６】
2007066735.tif 000011
【図７】
2007066735.tif 000012
【図８】
2007066735.tif 000013
【図９】
2007066735.tif 000014
【図１０】
2007066735.tif 000015
【図１１】
2007066735.tif 000016
【図１２】
2007066735.tif 000017
【図１３】
2007066735.tif 000018
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
少なくともカートリッジ（５）に収納された収納ディスク（Ｄ１）に記録された情報の再生あるいは当該収納ディスク（Ｄ１）への情報の記録の少なくともいずれか一方を行うディスク装置（１−１）において、
前記収納ディスク（Ｄ１）を前記ディスク装置（１−１）に搬出入する搬出入方向のうち搬出方向側端部に形成されたトレイ銘板部（２３）および前記カートリッジ（５）を載置するカートリッジ載置面（２１）を有し、当該カートリッジ（５）を載置するディスク載置位置から前記収納ディスクの再生記録を行うディスク再生位置までを移動するトレイ（２）と、
前記カートリッジ載置面（２１）の搬出方向側に配置され、前記カートリッジ載置面（２１）にカートリッジ（５）が載置された際に、当該カートリッジ（５）が接触する接触面（３１ａ）を有し、当該カートリッジ（５）が水平となる水平位置から当該カートリッジ（５）の搬出方向側が当該トレイ（２）に対して持ち上げられるリフト位置までを移動するリフトレバー（３１）と、
前記トレイ（２）がディスク載置位置に移動するまでに、前記リフトレバー（３１）をリフト位置に移動させ、当該トレイ（２）がディスク再生位置に移動するまでに、当該リフトレバー（３１）を水平位置まで移動させるリフトレバー移動手段と、
により構成され、
前記リフトレバー（３１）は、カートリッジ載置面（２１）に対して回転自在に支持されるとともに、前記カートリッジ載置面（２１）側と反対側に露出する摺動ピン（３１ｆ）を有し、
前記リフトレバー移動手段は、
前記リフトレバー（３１）を水平位置からリフト位置に向かう回転方向に付勢するレバー付勢手段（３３）と、
前記カートリッジ載置面（２１）側と反対側に搬出入方向に移動自在に支持され、搬出方向側端部に前記摺動ピン（３１ｆ）が乗り上げる傾斜部（３２ｂ）が形成されるリフトアーム（３２）と、
前記トレイ（２）がディスク載置位置まで移動する前までに、当該リフトアーム（３２）の前記ディスク装置（１−１）に対する移動を規制するアーム規制手段（３２ｃ，４３）と、
を備え、
前記リフトレバー（３１）は、
前記トレイ（２）がディスク再生位置に移動するまでに、前記摺動ピン（３１ｆ）が前記傾斜部（３２ｂ）に乗り上げることで水平位置に移動し、
当該トレイ（２）がディスク載置位置に移動するまでに、前記リフトアーム（３２）がアーム規制手段（３２ｃ，４３）により前記ディスク装置（１−１）に対する移動が規制され、当該摺動ピン（３１ｆ）が乗り上げていた当該傾斜部（３２ｂ）から前記カートリッジ載置面（２１）側と反対側の面に接触することでリフト位置に移動することを特徴とするディスク装置（１−１）。
【請求項２】
（削除）
【請求項３】
少なくともカートリッジ（５）に収納された収納ディスク（Ｄ１）に記録された情報の再生あるいは当該収納ディスク（Ｄ１）への情報の記録の少なくともいずれか一方を行うディスク装置（１−２）において、
前記収納ディスク（Ｄ１）を前記ディスク装置（１−２）に搬出入する搬出入方向のうち搬出方向側端部に形成されたトレイ銘板部（２３）および前記カートリッジ（５）を載置するカートリッジ載置面（２１）を有し、当該カートリッジ（５）を載置するディスク載置位置から前記収納ディスクの再生記録を行うディスク再生位置までを移動するトレイ（２）と、
前記カートリッジ載置面（２１）の搬出方向側に配置され、前記カートリッジ載置面（２１）にカートリッジ（５）が載置された際に、当該カートリッジ（５）が接触する接触面（３１ａ）を有し、当該カートリッジ（５）が水平となる水平位置から当該カートリッジ（５）の搬出方向側が当該トレイ（２）に対して持ち上げられるリフト位置までを移動するリフトレバー（３１）と、
前記トレイ（２）がディスク載置位置に移動するまでに、前記リフトレバー（３１）をリフト位置に移動させ、当該トレイ（２）がディスク再生位置に移動するまでに、当該リフトレバー（３１）を水平位置まで移動させるリフトレバー移動手段と、
により構成され、
前記リフトレバー（３１）は、
カートリッジ載置面（２１）に対して回転自在に支持されるとともに、前記カートリッジ載置面（２１）側と反対側に突出する接触用リブ（３１ｂ）を有し、
前記リフトレバー移動手段は、
前記リフトレバー（３１）を水平位置からリフト位置に向かう回転方向に付勢するレバー付勢手段（３３）と、
前記トレイ（２）がディスク再生位置に移動した際における前記接触用リブ（３１ｂ）と対向し、かつ前記カートリッジ載置面（２１）からの高さが当該カートリッジ（５）の高さであるレバー規制手段（３５）と、
を備えることを特徴とするディスク装置（１−２）。
【請求項４】
前記カートリッジ載置面（２１）には、カートリッジ（５）に収納されていない未収納ディスク（Ｄ２）を載置する未収納ディスク載置面（２１ａ，２１ｂ）が形成され、
前記リフトレバー（３１）は、前記カートリッジ載置面（２１）のうち、前記未収納ディスク載置面（２１ａ，２１ｂ）を除く部分に配置されることを特徴とする請求項１に記載のディスク装置（１−１）。
【請求項５】
前記トレイ（２）は、当該カートリッジ載置面（２１ａ，２１ｂ）に前記カートリッジ（５）が載置されている際に、当該カートリッジ（５）の位置決め穴（５３）に入り込む位置決めピン（２１ｃ）を当該カートリッジ載置面（２１）に有し、
前記位置決めピン（２１ｃ）の高さは、前記リフトレバー（３１）がリフト位置に移動した際に、当該位置決め穴（５３）に少なくとも先端部が入り込む高さであることを特徴とする請求項１または４に記載のディスク装置（１−１）。
【手続補正２】
【補正対象書類名】明細書
【補正対象項目名】０００３
【補正方法】変更
【補正の内容】
【０００３】
トレイに対して持ち上げられるリフト位置までを移動するリフトレバーと、前記トレイがディスク載置位置に移動するまでに、前記リフトレバーをリフト位置に移動させ、当該トレイがディスク再生位置に移動するまでに、当該リフトレバーを水平位置まで移動させるリフトレバー移動手段と、により構成され、前記リフトレバーは、カートリッジ載置面に対して回転自在に支持されるとともに、前記カートリッジ載置面側と反対側に露出する摺動ピンを有し、前記リフトレバー移動手段は、前記リフトレバーを水平位置からリフト位置に向かう回転方向に付勢するレバー付勢手段と、前記カートリッジ載置面側と反対側に搬出入方向に移動自在に支持され、搬出方向側端部に前記摺動ピンが乗り上げる傾斜部が形成されるリフトアームと、前記トレイがディスク載置位置まで移動する前までに、当該リフトアームの前記ディスク装置に対する移動を規制するアーム規制手段と、を備え、前記リフトレバーは、前記トレイがディスク再生位置に移動するまでに、前記摺動ピンが前記傾斜部に乗り上げることで水平位置に移動し、当該トレイがディスク載置位置に移動するまでに、前記リフトアームがアーム規制手段により前記ディスク装置に対する移動が規制され、当該摺動ピンが乗り上げていた当該傾斜部から前記カートリッジ載置面側と反対側の面に接触することでリフト位置に移動することを特徴とする。
また、本発明の請求項３に記載のディスク装置は、少なくともカートリッジに収納された収納ディスクに記録された情報の再生あるいは当該収納ディスクへの情報の記録の少なくともいずれか一方を行うディスク装置において、前記収納ディスクを前記ディスク装置に搬出入する搬出入方向のうち搬出方向側端部に形成されたトレイ銘板部および前記カートリッジを載置するカートリッジ載置面を有し、当該カートリッジを載置するディスク載置位置から前記収納ディスクの再生記録を行うディスク再生位置までを移動するトレイと、前記カートリッジ載置面の搬出方向側に配置され、前記カートリッジ載置面にカートリッジが載置された際に、当該カートリッジが接触する接触面を有し、当該カートリッジが水平となる水平位置から当該カートリッジの搬出方向側が当該トレイに対して持ち上げられるリフト位置までを移動するリフトレバーと、前記トレイがディスク載置位置に移動するまでに、前記リフトレバーをリフト位置に移動させ、当該トレイがディスク再生位置に移動するまでに、当該リフトレバーを水平位置まで移動させるリフトレバー移動手段と、により構成され、前記リフトレバーは、カートリッジ載置面に対して回転自在に支持されるとともに、前記カートリッジ載置面側と反対側に突出する接触用リブを有し、前記リフトレバー移動手段は、前記リフトレバーを水平位置からリフト位置に向かう回転方向に付勢するレバー付勢手段と、前記トレイがディスク再生位置に移動した際における前記接触用リブと対向し、かつ前記カートリッジ載置面からの高さが当該カートリッジの高さであるレバー規制手段と、を備えることを特徴とする。
発明の効果
［０００９］
本発明にかかるディスク装置は、少なくともカートリッジのトレイに対する位置決めの精度を向上することができるとともに、カートリッジをカートリッジ載置面から取り出しやすくすることができるという効果を奏する。
図面の簡単な説明
［００１０］
［図１］図１は、この実施例１にかかるディスク装置の構成例（正面図）を示す図である。
［図２］図２は、この実施例１にかかるディスク装置の構成例（概略断面図）を示す図である。
［図３−１］図３−１は、トレイの構成例を示す図（平面図）である。
［図３−２］図３−２は、トレイの構成例を示す図（正面図）である。
［図４−１］図４−１は、リフトレバーの構成例を示す図（平面図）である。
［図４−２］図４−２は、リフトレバーの構成例を示す図（平面図）である。
［図５−１］図５−１は、リフトアームの構成例を示す図（平面図）である。
［図５−２］図５−２は、リフトアームの構成例を示す図（平面図）である。
［図６］図６は、この実施例１にかかるディスク装置の動作説明図である。
［図７］図７は、この実施例１にかかるディスク装置の動作説明図である。
［図８］図８は、この実施例１にかかるディスク装置の動作説明図である。
［図９］図９は、この実施例１にかかるディスク装置の動作説明図である。
［図１０］図１０は、この実施例１にかかるディスク装置の動作説明図である。
［図１１］図１１は、この実施例２にかかるディスク装置の構成例（正面図）を示す図である。
［図１２］図１２は、この実施例２にかかるディスク装置の動作説明図である。
［図１３］図１３は、この実施例２にかかるディスク装置の動作説明図である。
符号の説明
【国際調査報告】
2007066735.tif 000019
2007066735.tif 000020
2007066735.tif 000021
2007066735.tif 000022
2007066735.tif 000023
2007066735.tif 000024
2007066735.tif 000025
2007066735.tif 000026